(57)【要約】【課題】真券判定プログラムに基づいた不正紙幣利用の監視と、真券判定プログラムを迅速に更新させる。【解決手段】  台間機１３が、遊技者による紙幣の投入を受け付け、投入された紙幣の特徴情報を抽出し、特徴情報に基づいて紙幣が真券であるか否か、および、紙幣が真券ではないか否かを判定し、動線管理サーバ１８が、遊技者の位置を位置情報として取得し、取得された位置情報を、遊技者毎に蓄積し、真券判定結果が、真券であること、および、真券ではないことのいずれにおいても否である場合、監視管理サーバ２１が、カメラ２２を制御して、動線管理サーバ１８に蓄積された位置情報のうち、紙幣を投入した遊技者の位置情報に対応する領域の画像を撮像するようにした。本発明は、不正紙幣判定システムに適用することができる。【選択図】図１
2006280499.tif 000002
【特許請求の範囲】
【請求項１】
紙幣の真券を識別する第1の情報処理装置、入店した遊技者の位置情報を蓄積する第２の情報処理装置、および、前記第２の情報処理装置の位置情報に基づき前記遊技者を撮像する第３の情報処理装置からなる真券判定システムにおいて、
前記遊技者による前記紙幣の投入を受け付ける紙幣投入手段と、
前記紙幣投入手段により投入された紙幣の特徴情報を抽出する抽出手段と、
前記特徴情報に基づいて前記紙幣が真券であるか否か、および、前記紙幣が真券ではないか否かを判定する真券判定手段と、
前記遊技者の位置を位置情報として取得する位置情報取得手段と、
前記位置情報取得手段により取得された位置情報を、前記遊技者毎に蓄積する蓄積手段と、
前記真券判定手段の判定結果が、真券であること、および、真券ではないことのいずれにおいても否である場合、前記蓄積手段により蓄積された位置情報のうち、前記投入手段に前記紙幣を投入した遊技者の位置情報に対応する領域の画像を撮像する撮像手段と
を備えることを特徴とする真券判定システム。
【請求項２】
紙幣の真券を識別する第1の情報処理装置は価値媒体処理装置であり、入店した遊技者の位置情報を蓄積する第２の情報処理装置は動線管理サーバであり、前記第２の情報処理装置の位置情報に基づき前記遊技者を撮像する第３の情報処理装置は、監視管理サーバである
ことを特徴とする請求項１に記載の真券判定システム。
【請求項３】
前記価値媒体処理装置は、
前記遊技者による前記紙幣の投入を受け付ける紙幣投入手段と、
前記紙幣投入手段により投入された紙幣の特徴情報を抽出する抽出手段と、
前記特徴情報に基づいて前記紙幣が真券であるか否か、および、前記紙幣が真券ではないか否かを判定する真券判定手段と
を備え、
前記動線管理サーバは、
前記遊技者の位置を位置情報として取得する位置情報取得手段と、
前記位置情報取得手段により取得された位置情報を、前記遊技者毎に蓄積する蓄積手段と
を備え、
前記監視管理サーバは、
前記真券判定手段の判定結果が、真券であること、および、真券ではないことのいずれにおいても否である場合、前記蓄積手段により蓄積された位置情報のうち、前記投入手段に前記紙幣を投入した遊技者の位置情報に対応する領域の画像を撮像する撮像手段を備える
ことを特徴とする請求項２に記載の真券判定システム。
【請求項４】
前記真券判定手段は、前記特徴情報と、前記紙幣が真券であること、および前記紙幣が真券ではないことを示す基準情報との比較に基づいて、前記紙幣が真券であるか否か、および、前記紙幣が真券ではないか否かを判定する
ことを特徴とする請求項１乃至３に記載の真券判定システム。
【請求項５】
前記真券判定システムは、前記基準情報の更新情報を生成する第４の情報処理装置をさらに備える
ことを特徴とする請求項１乃至４に記載の真券判定システム。
【請求項６】
前記第４の情報処理装置は、ホール管理サーバであり、
前記抽出手段により抽出された特徴情報と、前記撮像手段により撮像された画像とに基づいて、前記基準情報を更新するか否かを判定する更新判定手段と、
前記特徴情報に基づいて、前記基準情報を更新した更新基準情報を生成する更新基準情報生成手段とを備え、
前記価値媒体処理装置は、
前記基準情報を前記更新基準情報に更新する更新手段をさらに備える
ことを特徴とする請求項５に記載の真券判定システム。
【請求項７】
複数の前記真券判定システムの前記抽出手段により抽出された特徴情報と、前記撮像手段により撮像された画像とを蓄積する第５の情報処理装置をさらに備える
ことを特徴とする請求項１乃至６に記載の真券判定システム。
【請求項８】
前記第５の情報処理装置は、データセンタサーバであり、
複数の前記真券判定システムの前記抽出手段により抽出された特徴情報と、前記撮像手段により撮像された画像とを蓄積する蓄積手段と、
前記真券判定システムの前記抽出手段により抽出された特徴情報と、前記撮像手段により撮像された画像とが、前記蓄積手段により蓄積済みであるか否かを判定する蓄積判定手段とを備え、
前記抽出手段により抽出された特徴情報と、前記撮像手段により撮像された画像とについての、前記蓄積判定手段の判定結果に基づいて、前記更新判定手段は、前記基準情報を更新するか否かを判定する
ことを特徴とする請求項７に記載の真券判定システム。
【請求項９】
前記抽出手段により抽出された特徴情報と、前記撮像手段により撮像された画像とについて、前記蓄積判定手段により登録済みではないと判定された回数が、所定の期間内に、所定数より大きいとき、前記更新判定手段は、前記基準情報を更新するものと判定する
ことを特徴とする請求項８に記載の真券判定システム。
【請求項１０】
前記更新手段により前記基準情報が更新基準情報に更新された場合、前記蓄積手段は、前記抽出手段により抽出された特徴情報、前記撮像手段により撮像された画像、および前記更新基準情報を蓄積する
ことを特徴とする請求項８に記載の真券判定システム。
【請求項１１】
前記蓄積判定手段により、前記真券判定システムの前記抽出手段により抽出された特徴情報と、前記撮像手段により撮像された画像とが、前記蓄積手段により蓄積済みであると判定された場合、前記更新手段は、前記蓄積済みであると判定された、前記真券判定システムの前記抽出手段により抽出された特徴情報と、前記撮像手段により撮像された画像とに対応する前記更新基準情報を前記基準情報として更新する
ことを特徴とする請求項８に記載の真券判定システム。
【請求項１２】
紙幣の真券を識別する第1の情報処理装置、入店した遊技者の位置情報を蓄積する第２の情報処理装置、および、前記第２の情報処理装置の位置情報に基づき前記遊技者を撮像する第３の情報処理装置からなる真券判定システムの真券判定方法において、
前記遊技者による前記紙幣の投入を受け付ける紙幣投入ステップと、
前記紙幣投入ステップの処理により投入された紙幣の特徴情報を抽出する抽出ステップと、
前記特徴情報に基づいて前記紙幣が真券であるか否か、および、前記紙幣が真券ではないか否かを判定する真券判定ステップと、
前記遊技者の位置を位置情報として取得する位置情報取得ステップと、
前記位置情報取得ステップの処理により取得された位置情報を、前記遊技者毎に蓄積する蓄積ステップと、
前記真券判定手段の判定結果が、真券であること、および、真券ではないことのいずれにおいても否である場合、前記蓄積ステップの処理により蓄積された位置情報のうち、前記投入ステップの処理で前記紙幣を投入した遊技者の位置情報に対応する領域の画像を撮像する撮像ステップと
を含むことを特徴とする真券判定システムの真券判定方法。
【請求項１３】
紙幣の真券を識別する第1の情報処理装置、入店した遊技者の位置情報を蓄積する第２の情報処理装置、および、前記第２の情報処理装置の位置情報に基づき前記遊技者を撮像する第３の情報処理装置からなる真券判定システムを制御するコンピュータに、
前記遊技者による前記紙幣の投入を受け付ける紙幣投入ステップと、
前記紙幣投入ステップの処理により投入された紙幣の特徴情報を抽出する抽出ステップと、
前記特徴情報に基づいて前記紙幣が真券であるか否か、および、前記紙幣が真券ではないか否かを判定する真券判定ステップと、
前記遊技者の位置を位置情報として取得する位置情報取得ステップと、
前記位置情報取得ステップの処理により取得された位置情報を、前記遊技者毎に蓄積する蓄積ステップと、
前記真券判定手段の判定結果が、真券であること、および、真券ではないことのいずれにおいても否である場合、前記蓄積ステップの処理により蓄積された位置情報のうち、前記投入ステップの処理で前記紙幣を投入した遊技者の位置情報に対応する領域の画像を撮像する撮像ステップと
を含む処理を実行させることを特徴とするプログラム。
【請求項１４】
遊技者による紙幣の投入を受け付ける紙幣投入手段と、
前記紙幣投入手段により投入された紙幣の特徴情報を抽出する抽出手段と、
前記特徴情報に基づいて前記紙幣が真券であるか否か、および、前記紙幣が真券ではないか否かを判定する真券判定手段と
を備えることを特徴とする価値媒体処理装置。
【請求項１５】
遊技者による紙幣の投入を受け付ける紙幣投入ステップと、
前記紙幣投入ステップの処理により投入された紙幣の特徴情報を抽出する抽出ステップと、
前記特徴情報に基づいて前記紙幣が真券であるか否か、および、前記紙幣が真券ではないか否かを判定する真券判定ステップと
を含むことを特徴とする価値媒体処理装置の動作方法。
【請求項１６】
遊技者による紙幣の投入を受け付ける紙幣投入ステップと、
前記紙幣投入ステップの処理により投入された紙幣の特徴情報を抽出する抽出ステップと、
前記特徴情報に基づいて前記紙幣が真券であるか否か、および、前記紙幣が真券ではないか否かを判定する真券判定ステップと
を含む処理をコンピュータに実行させることを特徴とするプログラム。
【請求項１７】
遊技者の位置を位置情報として取得する位置情報取得手段と、
位置情報取得手段により取得された位置情報を、前記遊技者毎に蓄積する蓄積手段と
を備えることを特徴とする動線管理サーバ。
【請求項１８】
遊技者の位置を位置情報として取得する位置情報取得ステップと、
位置情報取得ステップの処理により取得された位置情報を、前記遊技者毎に蓄積する蓄積ステップと
を含むことを特徴とする動線管理サーバの動線管理方法。
【請求項１９】
遊技者の位置を位置情報として取得する位置情報取得ステップと、
位置情報取得ステップの処理により取得された位置情報を、前記遊技者毎に蓄積する蓄積ステップと
を含む処理をコンピュータに実行させることを特徴とするプログラム。
【請求項２０】
遊技者により投入された紙幣の特徴情報に基づいて、前記紙幣が、真券であること、および、真券ではないことのいずれにおいても否である場合、前記遊技者の位置情報に対応する領域の画像を撮像する撮像手段を備える
ことを特徴とする監視管理サーバ。
【請求項２１】
遊技者により投入された紙幣の特徴情報に基づいて、前記紙幣が、真券であること、および、真券ではないことのいずれにおいても否である場合、前記遊技者の位置情報に対応する領域の画像を撮像する撮像ステップを含む
ことを特徴とする監視管理サーバの監視管理方法。
【請求項２２】
遊技者により投入された紙幣の特徴情報に基づいて、前記紙幣が、真券であること、および、真券ではないことのいずれにおいても否である場合、前記遊技者の位置情報に対応する領域の画像を撮像する撮像ステップを含む処理をコンピュータ実行させる
ことを特徴とするプログラム。
【請求項２３】
遊技者により投入された紙幣の特徴情報と、前記遊技者が撮像された画像とに基づいて、前記紙幣の特徴情報が真券であること、および真券ではないこと示す基準情報を更新するか否かを判定する更新判定手段と、
前記特徴情報に基づいて、前記基準情報を更新した更新基準情報を生成する更新基準情報生成手段と
を備えることを特徴とするホール管理サーバ。
【請求項２４】
遊技者により投入された紙幣の特徴情報と、前記遊技者が撮像された画像とに基づいて、前記紙幣の特徴情報が真券であること、および真券ではないこと示す基準情報を更新するか否かを判定する更新判定ステップと、
前記特徴情報に基づいて、前記基準情報を更新した更新基準情報を生成する更新基準情報生成ステップと
を含むことを特徴とするホール管理サーバのホール管理方法。
【請求項２５】
遊技者により投入された紙幣の特徴情報と、前記遊技者が撮像された画像とに基づいて、前記紙幣の特徴情報が真券であること、および真券ではないこと示す基準情報を更新するか否かを判定する更新判定ステップと、
前記特徴情報に基づいて、前記基準情報を更新した更新基準情報を生成する更新基準情報生成ステップと
を含む処理をコンピュータに実行させることを特徴とするプログラム。
【請求項２６】
複数の真券判定システムにより紙幣から抽出された特徴情報と、前記紙幣を投入した遊技者が撮像された画像とを蓄積する蓄積手段と、
前記紙幣から抽出された特徴情報と、前記遊技者が撮像された画像とが、前記蓄積手段により蓄積済みであるか否かを判定する蓄積判定手段と
を備えることを特徴とするデータセンタサーバ。
【請求項２７】
複数の真券判定システムにより紙幣から抽出された特徴情報と、前記紙幣を投入した遊技者が撮像された画像とを蓄積する蓄積ステップと、
前記紙幣から抽出された特徴情報と、前記遊技者が撮像された画像とが、前記蓄積手段により蓄積済みであるか否かを判定する蓄積判定ステップと
を含むことを特徴とするデータセンタサーバの動作方法。
【請求項２８】
複数の真券判定システムにより紙幣から抽出された特徴情報と、前記紙幣を投入した遊技者が撮像された画像とを蓄積する蓄積ステップと、
前記紙幣から抽出された特徴情報と、前記遊技者が撮像された画像とが、前記蓄積手段により蓄積済みであるか否かを判定する蓄積判定ステップと
を含む処理をコンピュータに実行させることを特徴とするプログラム。
【発明の詳細な説明】
【技術分野】
【０００１】
本発明は、真券判定システムおよびその動作方法、価値媒体処理装置およびその動作方法、動線管理サーバおよび動線管理方法、監視管理サーバおよび監視管理方法、ホール管理サーバおよびホール管理方法、データセンタサーバおよびその動作方法、並びにプログラムに関し、特に、不正紙幣の使用を防止させるようにした真券判定システムおよびその動作方法、価値媒体処理装置およびその動作方法、動線管理サーバおよび動線管理方法、監視管理サーバおよび監視管理方法、ホール管理サーバおよびホール管理方法、データセンタサーバおよびその動作方法、並びにプログラムに関する。
【背景技術】
【０００２】
プリペイドカードの販売や、両替機などに代表される価値媒体処理装置が、一般に普及しつつある。価値媒体処理装置は、一般に、紙幣などが投入されると、投入された紙幣の金額を判断し、所定のプリペイドカードを販売したり、両替処理を実行したりする。価値媒体処理装置は、特に、パチンコ店やパチスロ店などに代表される遊技店でも多く設置されており、遊技店の場合、さらに、台間機と呼ばれる、いわゆる貸玉機（または貸メダル機）などでも使用される。
【０００３】
ところで、これらの価値媒体処理装置においては、不正紙幣を用いた不正による被害が後を絶たない。不正紙幣の使用に対しては、例えば、複数の貸玉機に投入された紙幣を一箇所の鑑定装置により鑑定し、不正紙幣が使用された貸玉機の位置を特定させるようにするものが提案されている（例えば、特許文献１参照）。
【０００４】
【特許文献１】特開２０００−７０５３６号公報
【発明の開示】
【発明が解決しようとする課題】
【０００５】
しかしながら、上述した一箇所の鑑定装置で鑑定する手法では、紙幣が一箇所の鑑定装置に収納されるまで、紙幣を真偽判定することができないので、不正遊技者が、不正紙幣を使用した後、即座に移動してしまうと、不正遊技者を特定することができず、不正を十分に監視することができない恐れがあった。
【０００６】
そこで、これらの不正使用に対抗すべく、価値媒体処理装置を複数の監視カメラで監視する監視システムも提案されている。しかしながら、従来の画像による監視システムは一部自動での監視はするものの、紙幣の真偽を判定した後、真券（本物の紙幣）と判定したとき、受け取り、偽券（偽物の紙幣＝不正紙幣）として判定したとき、返却することしかできず、仮に偽券が投入されたとしても、その場で警告を発することがない。このため、巧妙に偽造された不正紙幣については、真券か偽券かの判定に用いる特徴情報が、判定に用いる閾値近傍であることが多いため、真券であるか偽券であるかをその場で判別することは困難であることが多い。結果として、不正紙幣が使用されたことは、係員が価値媒体処理装置に蓄えられた紙幣を回収した後、精査してみて始めて気が付くことになるため、不正紙幣を使用する不正遊技者を発見し、捕らえる事は困難であった。
【０００７】
更にこれらの不正に関しては、特定の価値媒体処理装置が設けられている異なる遊技場で数回に渡って発生したり、特定の価値媒体処理装置が設けられている遊技店で同様の手口・日時で発生したりすることが多い。特定の価値媒体処理装置が狙われる背景としては、同一機器内にある価値媒体処理装置の判定用データ（紙幣が真券であるか偽券であるかを判定するためのデータ）が同一であり、紙幣の流通度合いにより改定・改善されているものの、最新の不正紙幣に対応できるような判定用データが即座に入手できる実態ではないからであり、このため、不正紙幣を使用する不正遊技者を直ちに捕らえるか、または、少なくとも不正紙幣を使用する不正遊技者を特定しない限り、広範囲に渡って不正が繰り返される恐れがあった。
【０００８】
本発明はこのような状況に鑑みてなされたものであり、特に、遊技店における不正紙幣を用いる不正遊技者を的確に撮像し、記録すると共に、紙幣の真偽判定に用いるデータを不正紙幣（または、不正紙幣と思われる紙幣を含む）の発生に対応して動的に変化させるようにし、不正紙幣による不正を防止するものである。
【課題を解決するための手段】
【０００９】
本発明の真券判定システムは、遊技者による紙幣の投入を受け付ける紙幣投入手段と、紙幣投入手段により投入された紙幣の特徴情報を抽出する抽出手段と、特徴情報に基づいて紙幣が真券であるか否か、および、紙幣が真券ではないか否かを判定する真券判定手段と、遊技者の位置を位置情報として取得する位置情報取得手段と、位置情報取得手段により取得された位置情報を、遊技者毎に蓄積する蓄積手段と、真券判定手段の判定結果が、真券であること、および、真券ではないことのいずれにおいても否である場合、蓄積手段により蓄積された位置情報のうち、投入手段に紙幣を投入した遊技者の位置情報に対応する領域の画像を撮像する撮像手段とを備えることを特徴とする。
【００１０】
前記紙幣の真券を識別する第1の情報処理装置は価値媒体処理装置とするようにすることができ、入店した遊技者の位置情報を蓄積する第２の情報処理装置は動線管理サーバとするようにすることができ、第２の情報処理装置の位置情報に基づき遊技者を撮像する第３の情報処理装置は、監視管理サーバとするようにすることができる。
【００１１】
前記価値媒体処理装置には、遊技者による紙幣の投入を受け付ける紙幣投入手段と、紙幣投入手段により投入された紙幣の特徴情報を抽出する抽出手段と、特徴情報に基づいて紙幣が真券であるか否か、および、紙幣が真券ではないか否かを判定する真券判定手段とを設けるようにさせることができ、動線管理サーバには、遊技者の位置を位置情報として取得する位置情報取得手段と、位置情報取得手段により取得された位置情報を、遊技者毎に蓄積する蓄積手段とを設けるようにさせることができ、監視管理サーバには、真券判定手段の判定結果が、真券であること、および、真券ではないことのいずれにおいても否である場合、蓄積手段により蓄積された位置情報のうち、投入手段に紙幣を投入した遊技者の位置情報に対応する領域の画像を撮像する撮像手段を設けるようにさせることができる。
【００１２】
前記真券判定手段には、特徴情報と、紙幣が真券であること、および紙幣が真券ではないことを示す基準情報との比較に基づいて、紙幣が真券であるか否か、および、紙幣が真券ではないか否かを判定させるようにすることができる。
【００１３】
真券判定システムには、基準情報の更新情報を生成する第４の情報処理装置をさらにもうけるようにさせることができる。
【００１４】
前記第４の情報処理装置は、ホール管理サーバとするようにすることができ、抽出手段により抽出された特徴情報と、撮像手段により撮像された画像とに基づいて、基準情報を更新するか否かを判定する更新判定手段と、特徴情報に基づいて、基準情報を更新した更新基準情報を生成する更新基準情報生成手段とを設けるようにさせることができ、価値媒体処理装置には、基準情報を更新基準情報に更新する更新手段をさらに設けるようにさせることができる。
【００１５】
前記複数の真券判定システムの抽出手段により抽出された特徴情報と、撮像手段により撮像された画像とを蓄積する第５の情報処理装置をさらに設けるようにさせることができる。
【００１６】
前記第５の情報処理装置は、データセンタサーバとするようにすることができ、複数の真券判定システムの抽出手段により抽出された特徴情報と、撮像手段により撮像された画像とを蓄積する蓄積手段と、真券判定システムの抽出手段により抽出された特徴情報と、撮像手段により撮像された画像とが、蓄積手段により蓄積済みであるか否かを判定する蓄積判定手段とを設けるようにさせることができ、抽出手段により抽出された特徴情報と、撮像手段により撮像された画像とについての、蓄積判定手段の判定結果に基づいて、更新判定手段には、基準情報を更新するか否かを判定させるようにすることができる。
【００１７】
前記抽出手段により抽出された特徴情報と、撮像手段により撮像された画像とについて、蓄積判定手段により登録済みではないと判定された回数が、所定の期間内に、所定数より大きいとき、更新判定手段には、基準情報を更新するものと判定させるようにすることができる。
【００１８】
前記更新手段により基準情報が更新基準情報に更新された場合、蓄積手段には、抽出手段により抽出された特徴情報、撮像手段により撮像された画像、および更新基準情報を蓄積させるようにすることができる。
【００１９】
前記蓄積判定手段により、真券判定システムの抽出手段により抽出された特徴情報と、撮像手段により撮像された画像とが、蓄積手段により蓄積済みであると判定された場合、更新手段には、蓄積済みであると判定された、真券判定システムの抽出手段により抽出された特徴情報と、撮像手段により撮像された画像とに対応する更新基準情報を基準情報として更新させるようにすることができる。
【００２０】
本発明の真券判定システムの真券判定方法は、遊技者による紙幣の投入を受け付ける紙幣投入ステップと、紙幣投入ステップの処理により投入された紙幣の特徴情報を抽出する抽出ステップと、特徴情報に基づいて紙幣が真券であるか否か、および、紙幣が真券ではないか否かを判定する真券判定ステップと、遊技者の位置を位置情報として取得する位置情報取得ステップと、位置情報取得ステップの処理により取得された位置情報を、遊技者毎に蓄積する蓄積ステップと、真券判定手段の判定結果が、真券であること、および、真券ではないことのいずれにおいても否である場合、蓄積ステップの処理により蓄積された位置情報のうち、投入ステップの処理で紙幣を投入した遊技者の位置情報に対応する領域の画像を撮像する撮像ステップとを含むことを特徴とする。
【００２１】
本発明の第１のプログラムは、遊技者による紙幣の投入を受け付ける紙幣投入ステップと、紙幣投入ステップの処理により投入された紙幣の特徴情報を抽出する抽出ステップと、特徴情報に基づいて紙幣が真券であるか否か、および、紙幣が真券ではないか否かを判定する真券判定ステップと、遊技者の位置を位置情報として取得する位置情報取得ステップと、位置情報取得ステップの処理により取得された位置情報を、遊技者毎に蓄積する蓄積ステップと、真券判定手段の判定結果が、真券であること、および、真券ではないことのいずれにおいても否である場合、蓄積ステップの処理により蓄積された位置情報のうち、投入ステップの処理で紙幣を投入した遊技者の位置情報に対応する領域の画像を撮像する撮像ステップとを含む処理をコンピュータに実行させることを特徴とする。
【００２２】
本発明の価値媒体処理装置は、遊技者による紙幣の投入を受け付ける紙幣投入手段と、紙幣投入手段により投入された紙幣の特徴情報を抽出する抽出手段と、特徴情報に基づいて紙幣が真券であるか否か、および、紙幣が真券ではないか否かを判定する真券判定手段とを備えることを特徴とする。
【００２３】
本発明の価値媒体処理装置の動作方法は、遊技者による紙幣の投入を受け付ける紙幣投入ステップと、紙幣投入ステップの処理により投入された紙幣の特徴情報を抽出する抽出ステップと、特徴情報に基づいて紙幣が真券であるか否か、および、紙幣が真券ではないか否かを判定する真券判定ステップとを含むことを特徴とする。
【００２４】
本発明の第２のプログラムは、遊技者による紙幣の投入を受け付ける紙幣投入ステップと、紙幣投入ステップの処理により投入された紙幣の特徴情報を抽出する抽出ステップと、特徴情報に基づいて紙幣が真券であるか否か、および、紙幣が真券ではないか否かを判定する真券判定ステップとを含む処理をコンピュータに実行させることを特徴とする。
【００２５】
本発明の動線管理サーバは、遊技者の位置を位置情報として取得する位置情報取得手段と、位置情報取得手段により取得された位置情報を、遊技者毎に蓄積する蓄積手段とを備えることを特徴とする。
【００２６】
本発明の動線管理サーバの動線管理方法は、遊技者の位置を位置情報として取得する位置情報取得ステップと、位置情報取得ステップの処理により取得された位置情報を、遊技者毎に蓄積する蓄積ステップとを含むことを特徴とする。
【００２７】
本発明の第３のプログラムは、遊技者の位置を位置情報として取得する位置情報取得ステップと、位置情報取得ステップの処理により取得された位置情報を、遊技者毎に蓄積する蓄積ステップとを含む処理をコンピュータに実行させることを特徴とする。
【００２８】
本発明の監視管理サーバは、遊技者により投入された紙幣の特徴情報に基づいて、紙幣が、真券であること、および、真券ではないことのいずれにおいても否である場合、遊技者の位置情報に対応する領域の画像を撮像する撮像手段を備えることを特徴とする。
【００２９】
本発明の監視管理サーバの監視管理方法は、遊技者により投入された紙幣の特徴情報に基づいて、紙幣が、真券であること、および、真券ではないことのいずれにおいても否である場合、遊技者の位置情報に対応する領域の画像を撮像する撮像ステップを含むことを特徴とする。
【００３０】
本発明の第４のプログラムは、遊技者により投入された紙幣の特徴情報に基づいて、紙幣が、真券であること、および、真券ではないことのいずれにおいても否である場合、遊技者の位置情報に対応する領域の画像を撮像する撮像ステップを含む処理をコンピュータ実行させることを特徴とする。
【００３１】
本発明のホール管理サーバは、遊技者により投入された紙幣の特徴情報と、遊技者が撮像された画像とに基づいて、紙幣の特徴情報が真券であること、および真券ではないこと示す基準情報を更新するか否かを判定する更新判定手段と、特徴情報に基づいて、基準情報を更新した更新基準情報を生成する更新基準情報生成手段とを備えることを特徴とする。
【００３２】
本発明のホール管理サーバのホール管理方法は、遊技者により投入された紙幣の特徴情報と、遊技者が撮像された画像とに基づいて、紙幣の特徴情報が真券であること、および真券ではないこと示す基準情報を更新するか否かを判定する更新判定ステップと、特徴情報に基づいて、基準情報を更新した更新基準情報を生成する更新基準情報生成ステップとを含むことを特徴とする。
【００３３】
本発明の第５のプログラムは、遊技者により投入された紙幣の特徴情報と、遊技者が撮像された画像とに基づいて、紙幣の特徴情報が真券であること、および真券ではないこと示す基準情報を更新するか否かを判定する更新判定ステップと、特徴情報に基づいて、基準情報を更新した更新基準情報を生成する更新基準情報生成ステップとを含む処理をコンピュータに実行させることを特徴とする。
【００３４】
本発明のデータセンタサーバは、複数の真券判定システムにより紙幣から抽出された特徴情報と、紙幣を投入した遊技者が撮像された画像とを蓄積する蓄積手段と、紙幣から抽出された特徴情報と、遊技者が撮像された画像とが、蓄積手段により蓄積済みであるか否かを判定する蓄積判定手段とを備えることを特徴とする。
【００３５】
本発明のデータセンタサーバの動作方法は、複数の真券判定システムにより紙幣から抽出された特徴情報と、紙幣を投入した遊技者が撮像された画像とを蓄積する蓄積ステップと、紙幣から抽出された特徴情報と、遊技者が撮像された画像とが、蓄積手段により蓄積済みであるか否かを判定する蓄積判定ステップとを含むことを特徴とする。
【００３６】
本発明の第６のプログラムは、複数の真券判定システムにより紙幣から抽出された特徴情報と、紙幣を投入した遊技者が撮像された画像とを蓄積する蓄積ステップと、紙幣から抽出された特徴情報と、遊技者が撮像された画像とが、蓄積手段により蓄積済みであるか否かを判定する蓄積判定ステップとを含む処理をコンピュータに実行させることを特徴とする。
【００３７】
本発明の真券判定システムおよび方法、並びに第１のプログラムにおいては、遊技者による紙幣の投入が受け付けられ、投入された紙幣の特徴情報が抽出され、特徴情報に基づいて紙幣が真券であるか否か、および、紙幣が真券ではないか否かが判定され、遊技者の位置が位置情報として取得され、取得された位置情報が、遊技者毎に蓄積され、真券判定結果が、真券であること、および、真券ではないことのいずれにおいても否である場合、蓄積された位置情報のうち、紙幣を投入した遊技者の位置情報に対応する領域の画像が撮像される。
【００３８】
本発明の価値媒体処理装置および動作方法、並びに第２のプログラムにおいては、遊技者による紙幣の投入が受け付けられ、投入された紙幣の特徴情報が抽出され、特徴情報に基づいて紙幣が真券であるか否か、および、紙幣が真券ではないか否かが判定される。
【００３９】
本発明の動線管理サーバおよび動線管理方法、並びに第３のプログラムにおいては、遊技者の位置が位置情報として取得され、取得された位置情報が、遊技者毎に蓄積される。
【００４０】
本発明の監視管理サーバおよび管理管理方法、並びに第４のプログラムにおいては、遊技者により投入された紙幣の特徴情報に基づいて、紙幣が、真券であること、および、真券ではないことのいずれにおいても否である場合、遊技者の位置情報に対応する領域の画像が撮像される。
【００４１】
本発明のホール管理サーバおよびホール管理方法、並びに第５のプログラムにおいては、遊技者により投入された紙幣の特徴情報と、遊技者が撮像された画像とに基づいて、紙幣の特徴情報が真券であること、および真券ではないこと示す基準情報を更新するか否かが判定され、特徴情報に基づいて、基準情報を更新した更新基準情報が生成される。
【００４２】
本発明のデータセンタサーバおよび動作方法、並びに第６のプログラムにおいては、複数の真券判定システムにより紙幣から抽出された特徴情報と、紙幣を投入した遊技者が撮像された画像とが蓄積され、紙幣から抽出された特徴情報と、遊技者が撮像された画像とが、蓄積済みであるか否かが判定される。
【００４３】
本発明の真券判定システムにおいて、遊技者による紙幣の投入を受け付ける紙幣投入手段は、例えば、台間機の紙幣投入返却部であり、投入された紙幣の特徴情報を抽出する抽出手段は、例えば、台間機の特徴情報抽出部であり、特徴情報に基づいて紙幣が真券であるか否か、および、紙幣が真券ではないか否かを判定する真券判定手段は、例えば、台間機の真券判定部であり、遊技者の位置を位置情報として取得する位置情報取得手段は、例えば、動線管理サーバの位置情報抽出部であり、取得された位置情報を、遊技者毎に蓄積する蓄積手段は、位置管理テーブルであり、真券判定結果が、真券であること、および、真券ではないことのいずれにおいても否である場合、蓄積された位置情報のうち、紙幣を投入した遊技者の位置情報に対応する領域の画像を撮像する撮像手段は監視管理サーバにより制御されるカメラである。
【００４４】
また、抽出された特徴情報と、撮像手段により撮像された画像とに基づいて、基準情報を更新するか否かを判定する更新判定手段は、例えば、ホール管理サーバの真券判定プログラム更新判定部であり、特徴情報に基づいて、基準情報を更新した更新基準情報を生成する更新基準情報生成手段は、例えば、ホール管理サーバの更新プログラム生成部であり、例えば、基準情報を更新基準情報に更新する更新手段は、例えば、台間機の制御部である。
【００４５】
すなわち、台間機の紙幣投入返却部が遊技者による紙幣の投入を受け付け、台間機の特徴情報抽出部が、投入された紙幣の特徴情報を抽出し、台間機の真券判定部が、特徴情報に基づいて紙幣が真券であるか否か、および、紙幣が真券ではないか否かを判定し、真券判定結果が、真券であること、および、真券ではないことのいずれにおいても否である場合、動線管理サーバの位置情報抽出部が、遊技者の位置を位置情報として取得し、取得された位置情報が、位置管理テーブルに遊技者毎に蓄積されているので、監視管理サーバがカメラを制御し、蓄積された位置情報のうち、紙幣を投入した遊技者の位置情報に対応する領域の画像を撮像する。
【００４６】
結果として、不正紙幣である可能性のある紙幣の特徴情報と、その紙幣を使用した遊技者を撮像することが可能となり、不正紙幣による不正を抑止させることが可能となる。
【００４７】
また、ホール管理サーバの真券判定プログラム更新判定部は、抽出された特徴情報と、撮像手段により撮像された画像とに基づいて、基準情報を更新するか否かを判定し、ホール管理サーバの更新プログラム生成部が、特徴情報に基づいて、基準情報を更新した更新基準情報を生成し、台間機の制御部が、基準情報を更新基準情報に更新する。
【００４８】
結果として、不正紙幣である可能性のある紙幣に対応した基準情報が、不正紙幣の可能性のある紙幣の検出に応じて更新されるので、不正紙幣による使用を抑制させることが可能となる。
【発明の効果】
【００４９】
本発明によれば、データに基づいた不正紙幣利用の監視と更新プログラムの迅速な対応が可能となる。
【発明を実施するための最良の形態】
【００５０】
図１は、本発明に係る遊技店の不正紙幣監視システムの一実施の形態の構成を示す図である。
【００５１】
データセンタサーバ２は、複数の遊技店１−１乃至１−ｎより供給されてくる不正紙幣に対応するための疑惑データや真券判定プログラムを蓄積する。また、データセンタサーバ２は、遊技店１−１乃至１−ｎより仮疑惑データの問合せがあった場合、蓄積された疑惑データと照合し、照合結果を通知すると共に、既知のものであれば、対応する真券判定プログラムを供給する。尚、遊技店１−１乃至１−ｎについて特に区別する必要がない場合、単に、遊技店１と称するものとし、その他の構成についても同様に称するものとする。
【００５２】
ホール管理サーバ１１は、遊技店１における不正紙幣監視処理の全体を管理しており、イントラネットなどに代表されるネットワーク１７を介して接続されている遊技台１２−１乃至１２−ｋにそれぞれ設けられている台間機１３−１乃至１３−ｋ、プリペイド販売機１４、または両替機１５により不正紙幣が検出された場合、動線管理サーバ１８を制御して、その不正紙幣を使用した遊技者の位置を確認すると共に、対応する位置の近傍の領域を監視管理サーバ２１により撮像させ、遊技店１の係員が所持する携帯端末２３に不正紙幣が使用されたことを示す警告を発信する。
【００５３】
さらに、ホール管理サーバ１１は、検出された不正紙幣の特徴情報と撮像された画像に基づいて、仮疑惑データを生成し、データセンタサーバ２に問い合わせる。問い合わせた仮疑惑データが、未登録のものである場合、ホール管理サーバ１１は、台間機１３−１乃至１３−ｋ、プリペイド販売機１４、または両替機１５の真券判定プログラムの更新プログラムを生成すると共に、更新し、更新結果をデータセンタサーバ２に供給する。また、仮疑惑データが既に登録済みのものである場合、データセンタサーバ２より真券判定プログラムの更新プログラムを取得し、更新する。
【００５４】
台間機１３は、紙幣またはプリペイドカードが投入されると投入金額に応じて、遊技台１２で遊技するための遊技球やメダルなどを貸し出す。より詳細には、台間機１３は、紙幣が投入された場合、投入された紙幣を真券判定し、真券と判定された場合、または、真券であるとも真券ではないとも判定できない場合、投入された金額に対応する遊技球やメダルなどを貸し出す。また、台間機１３は、真券ではないと判定された場合、投入された紙幣を返却すると共に、真券判定に用いた紙幣の特徴情報と台データを制御装置１６−１を介してホール管理サーバ１１に供給する。また、台間機１３は、プリペイドカードが投入された場合、そのプリペイドカードに記録されている金額に対応する紙幣が投入された場合と同様の処理を実行する。
【００５５】
さらに、台間機１３は、制御装置１６−１を介して、ホール管理サーバ１１より真券判定プログラムの更新プログラムが供給されると、新たな更新プログラムに真券判定プログラムを更新する。
【００５６】
プリペイド販売機１４は、投入された金額に対応する情報を記録したプリペイドカードを発行する。このプリペイドカードは、上述したように台間機１３に挿入されることにより紙幣と同等に使用される。
【００５７】
より詳細には、プリペイド販売機１４は、紙幣が投入された場合、投入された紙幣を真券判定し、真券と判定された場合、または、真券であるとも真券ではないとも判定できない場合、投入された金額に対応するプリペイドカードを発行する。また、プリペイド販売機１４は、真券ではないと判定された場合、投入された紙幣を返却すると共に、真券判定に用いた紙幣の特徴情報と台データを制御装置１６−２を介してホール管理サーバ１１に供給する。
【００５８】
さらに、プリペイド販売機１４は、制御装置１６−２を介して、ホール管理サーバ１１より真券判定プログラムの更新プログラムが供給されると、新たな更新プログラムに真券判定プログラムを更新する。
【００５９】
両替機１５は、投入された紙幣に対応する金額に両替する。
【００６０】
より詳細には、両替機１５は、紙幣が投入された場合、投入された紙幣を真券判定し、真券と判定された場合、または、真券であるとも真券ではないとも判定できない場合、投入された紙幣を両替する。また、両替機１５は、真券ではないと判定された場合、投入された紙幣を返却すると共に、真券判定に用いた紙幣の特徴情報と台データを制御装置１６−２を介してホール管理サーバ１１に供給する。
【００６１】
さらに、両替機１５は、制御装置１６−２を介して、ホール管理サーバ１１より真券判定プログラムの更新プログラムが供給されると、新たな更新プログラムに真券判定プログラムを更新する。
【００６２】
尚、台間機１３、プリペイド販売機１４、および両替機１５の真券判定プログラムは同様のものであり、遊技店１で更新されるときは、いずれの真券判定プログラムも同一の更新プログラムに更新される。
【００６３】
制御装置１６は、台間機１３、プリペイド販売機１４、および両替機１５より供給されてくる仮疑惑データおよび台データの情報を暗号化してホール管理サーバ１１に供給すると共に、暗号化されてホール管理サーバ１１より供給されてくる真券判定プログラムの更新プログラムを復号して、台間機１３、プリペイド販売機１４、および両替機１５に供給する。
【００６４】
動線管理サーバ１８は、入口ステレオ画像センサ１９−１乃至１９−ｍおよび島ステレオ画像センサ２０−１乃至２０−ｏより供給される人IDが付された位置情報を取得し、人IDと位置情報からなる位置管理テーブルを設定し、順次供給されてくる各遊技者事の位置情報を人IDに対応付けて、取得した時刻情報と共に管理する。動線管理サーバ１８は、ホール管理サーバ１１より台データと時刻情報とに基づいて問合せがあった場合、その台データに対応する位置情報に基づいて、対応する時刻に付近に存在した人物を特定する人IDを検索すると共に、その人IDに対応する人物の今現在の位置情報を読み出して、ホール管理サーバ１１に供給する。
【００６５】
ここで、図２乃至図４を参照して、入口ステレオ画像センサ１９−１乃至１９−ｍおよび島ステレオ画像センサ２０−１乃至２０−ｏについて詳細を説明する。
【００６６】
入口ステレオ画像センサ１９−１乃至１９−ｍおよび島ステレオ画像センサ２０−１乃至２０−ｏは、配置位置の異なる２個のカメラから構成されるセンサであり、２個の配置の異なるカメラにより同一の領域を撮像することにより得られる、アングルの異なる画像を視差を利用して演算処理し、撮像された被写体の空間的な位置を検出し、人追跡サーバ５に供給する。
【００６７】
より具体的には、入口ステレオ画像センサ１９は、図２で示されるように、カメラ１９ａ，１９ｂにより構成され、それぞれが同一の領域を撮像し、演算処理部１９ｃに出力する。演算処理部１９ｃは、カメラ１９ａ，１９ｂより供給されたアングルの異なる画像を、視差を利用して演算処理することにより（いわゆる、三角法を用いた演算処理により）、撮像された画像内の被写体の空間的な位置を三次元の座標として求め、人ID付加部１９ｄが、出入口より入店してきた被写体となる遊技者一人一人に対して、人IDを付して、動線管理サーバ１８に供給する。また、入口ステレオ画像センサ１９は、自らの監視領域から遊技者が移動するような場合、遊技者が移動した方向に隣接する監視領域を監視する島ステレオ画像センサ２０に対して人IDを供給する。尚、人ID付加部１９ｄは、出入口より入店してきた遊技者に対してのみ、人IDを付加するが、それ以外の遊技者、すなわち、一度人IDを付加した遊技者に対しては新たに人IDを付加しない。
【００６８】
島ステレオ画像センサ２０は、図３で示されるように、上述した入口ステレオ画像センサ１９と同様の原理によりカメラ２０ａ，２０ｂより供給されたアングルの異なる画像を、視差を利用して演算処理することにより（いわゆる、三角法を用いた演算処理により）、撮像された画像内の被写体の空間的な位置を三次元の座標として求める。
【００６９】
尚、島ステレオ画像センサ２０は、入口ステレオ画像センサ１９、または、隣接する領域の遊技者の位置を検出する島ステレオ画像センサ２０より供給されてくる人IDを引き継いで使用するため、人ID付加部を備えていない。
【００７０】
すなわち、１個の入口ステレオ画像センサ１９または島ステレオ画像センサ２０が、被写体の空間的な位置を検出できる範囲には、店内において制限があるため、それぞれは、例えば、図４で示されるように配置される。尚、図４においては、出入口が３箇所であるので、入口ステレオ画像センサ１９は、入口ステレオ画像センサ１９−１乃至１９−３であり、島ステレオ画像センサ２０は、島ステレオ画像センサ２０−１乃至２０−１７である。
【００７１】
このとき、カメラ１９ａ−１，１９ｂ−１からなる入口ステレオ画像センサ１９−１は、領域Ｚ１内の被写体、すなわち、遊技店に来店する領域を含む遊技者の空間的な位置を検出し、同様にして、カメラ２０ａ−１，２０ｂ−１からなる島ステレオ画像センサ２０−１は領域Ｚ２内、カメラ２０ａ−３，２０ｂ−３からなる島ステレオ画像センサ２０−３は領域Ｚ３内、カメラ２０ａ−５，２０ｂ−５からなるステレオ画像センサ２０−５は領域Ｚ４内の、それぞれの遊技者の空間的な位置情報を検出する。尚、図４においては、入口ステレオ画像センサ１９−１、および、島ステレオ画像センサ２０−１，２０−３，２０−５のそれぞれの監視領域として、領域Ｚ１乃至Ｚ４が示されているのみであり、入口ステレオ画像センサ１９−１乃至１９−３および島ステレオ画像センサ２０−１乃至２０−１７について、全監視領域が示されていないが、それぞれ同様に監視領域が設定される。また、図４で示されるように、各監視領域は、例えば、斜線部で示されるように、重なり合うように設定されている。尚、図４は、遊技店内の入口ステレオ画像カメラ１９、島ステレオ画像カメラ２０、およびカメラ２２の配置例を示す遊技店の上面図である。
【００７２】
入口ステレオ画像センサ１９および島ステレオ画像センサ２０は、それぞれの監視領域内の遊技者の位置情報を人ID毎に管理しているが、遊技者が移動することによりそれぞれの監視領域から逸脱してしまい、人IDが付された状態で監視できなくなるといった事態が考えられる。このため、上述したように、監視領域は、いずれも重なり合うように設定されている。
【００７３】
すなわち、例えば、図４中の左上部の出入口において、遊技者が来店するとカメラ１９ａ−１，１９ｂ−１からなる入口ステレオ画像センサ１９−１により（人ID付加部１ｄ−１により）人ID＝Ａが付されるものとする。この後、遊技者が移動し、例えば、領域Ｚ３方向に侵入するような場合、入口ステレオ画像センサ１９−１は、移動した遊技者の位置情報と人IDを、遊技者が移動した隣接する監視領域を監視するカメラ２０ａ−３，２０ｂ−３からなる島ステレオ画像センサ２０−３に供給する。この結果、島ステレオ画像センサ２０−３においては、入口ステレオ画像センサ１９−１により位置情報が検出されていた遊技者と同一の遊技者を同一の人IDで監視することが可能となる。
【００７４】
このように、入口ステレオ画像センサ１９−１乃至１９−３および島ステレオ画像センサ２０−１乃至２０−１７は、相互に位置情報と人IDについて連携しながら遊技者一人一人の位置情報を監視し続けることができる構成となっている。したがって、出入口付近の領域を監視している入口ステレオ画像センサ１９−１乃至１９−３は、新たに来店した遊技者について人IDを新たに付するが、その他の島ステレオ画像センサ２０−１乃至２０−１７については、遊技者の移動に伴って、いずれかの出入口付近の領域を監視する入口ステレオ画像センサ１９よりリレー形式で人IDが供給されることになる。尚、本実施例においては、入口ステレオ画像センサ１９または島ステレオ画像センサ２０は、２個のアングルの異なるカメラにより撮像された画像を視差を考慮して処理する例について説明してきたが、視差を考慮して、被写体の空間的な位置を求められる構成であればよいので、例えば、アングルの異なるカメラをさらに多くして撮像し、それぞれの視差を考慮して処理することにより、空間的な座標を求めるようにしてもよい。また、入口ステレオ画像センサ１９および島ステレオ画像センサ２０については、図４の例においては合計２０個が設けられている例について説明しているが、監視領域を変えて、その他の台数を設置するようにしてもよい。さらに、遊技客の位置を検出する機能としては、入口ステレオ画像センサ１９や島ステレオ画像センサ２０に限らず、遊技客の空間的な位置が求められるものであれば、どのようなものでもよい。
【００７５】
監視管理サーバ２１は、ホール管理サーバ１１からの撮像指令に基づいて、対応するカメラ２２−１乃至２２−ｐのいずれかを動作させて、対象となる領域の画像を撮像し、撮像した画像データをホール管理サーバ１１に供給する。
【００７６】
次に、図５を参照して、ホール管理サーバ１１のハードウェアの一実施の形態の構成について説明する。CPU（Central Processing Unit）４１は、ROM（Read Only Memory）４２、または記憶部４８に記憶されているプログラムに従って各種の処理を実行する。RAM（Random Access Memory）４３には、CPU４１が実行するプログラムやデータなどが適宜記憶される。これらのCPU４１、ROM４２、およびRAM４３は、バス４４により相互に接続されている。
【００７７】
CPU４１にはまた、バス４４を介して入出力インタフェース４５が接続されている。入出力インタフェース４５には、キーボード、マウス、マイクロホンなどよりなる入力部４６、ディスプレイ、スピーカなどよりなる出力部４７が接続されている。CPU４１は、入力部４６から入力される指令に対応して各種の処理を実行する。そして、CPU４１は、処理の結果得られた画像や音声等を出力部４７に出力する。
【００７８】
入出力インタフェース４５に接続されている記憶部４８は、例えばハードディスクなどで構成され、CPU４１が実行するプログラムや各種のデータを記憶する。
【００７９】
入出力インタフェース４５に接続されているドライブ５０は、磁気ディスク６１、光ディスク６２、光磁気ディスク６３、或いは半導体メモリ６４などが装着されたとき、それらを駆動し、そこに記録されているプログラムやデータなどを取得する。取得されたプログラムやデータは、必要に応じて記憶部４８に転送され、記憶される。
【００８０】
尚、データセンタサーバ２、動線管理サーバ１８、および監視管理サーバ２１のハードウェアの構成については、ホール管理サーバ１１と同様であるので、その説明を省略する。
【００８１】
次に、図６を参照して、ホール管理サーバ１１の機能の一実施の形態の構成を説明する
【００８２】
特徴情報取得部１０１は、台間機１３、プリペイド販売機１４、または、両替機１５より真券判定処理により真券であるとも、真券ではないとも判定できない状態である場合に供給されてくる、暗号化された真券判定処理に使用される紙幣の特徴情報を取得する。尚、特徴情報には、台間機１３の設置位置を特定する台データ（台間機１３が設けられている遊技台１２の台番号：位置情報）や、プリペイド販売機１４または両替機１５の設置位置を特定する情報も含まれている。
【００８３】
特徴情報取得部１０１は、暗号化された特徴情報を暗号処理部１０２を制御して復号し、その設置位置を示す情報を動線管理サーバ１８に供給すると共に、特徴情報を仮疑惑データ生成部１０６に供給する。
【００８４】
位置情報取得部１０３は、特徴情報取得部１０１より供給された台間機１３、プリペイド販売機１４、または両替機１５の設置位置を示す情報に基づいて、動線管理サーバ１８より供給されてくる、真偽判定処理により真券であるともないとも判定のつかない紙幣を使用した人物の人物位置情報を取得し、監視撮像司令部１０４に供給する。尚、動線管理サーバ１８が、台間機１３、プリペイド販売機１４、または両替機１５の設置位置を示す情報に基づいた、紙幣を使用した人物の人物位置情報を特定する手法については詳細を後述する。また、以降においては、遊技者により使用された紙幣が真券判定処理により真券であるともないとも判定のつかない紙幣については、疑惑紙幣とも称するものとする。
【００８５】
監視撮像司令部１０４は、人物位置情報と共に、疑惑紙幣を使用した人物を撮像する監視撮像指令を監視管理サーバ２１に供給する。撮像データ取得部１０５は、監視撮像指令に基づいて、監視管理サーバ２１より供給されてくる疑惑紙幣を使用した人物を撮像した画像データを取得し、仮疑惑データ生成部１０６に供給する。
【００８６】
仮疑惑データ生成部１０６は、画像データ取得部１０５より供給された疑惑紙幣を使用した人物の画像データと、特徴情報取得部１０１より供給されてくる疑惑紙幣の特徴情報とを合わせて仮疑惑データを生成してデータセンタサーバ２および真券判定プログラム更新判定部１０７に供給する。
【００８７】
真券判定プログラム更新判定部１０７は、仮疑惑データに基づいて、データセンタサーバ２より供給されてくる判定結果に基づいて、これまでに他の遊技店１からも報告されていない新たな仮疑惑データであった場合、これを疑惑データであるものとみなして、疑惑データメモリ１０８に格納する。さらに、他の遊技店１からも報告されていないとの判断が同一の仮疑惑データに対して、所定の期間内で所定の回数以上なされた場合、真券判定プログラム更新判定部１０７は、この疑惑データを考慮した真券判定プログラムの更新プログラムの生成を更新プログラム生成部１０９に指示する。このとき、真券判定プログラム更新判定部１０７は、合わせて疑惑データも供給する。
【００８８】
更新プログラム生成部１０９は、真券判定プログラムの疑惑データに対応した更新プログラムを生成し、真券判定プログラム更新部１１０および真券判定プログラム更新確認部１１３に供給する。真券判定プログラム更新部１１０は、モードメモリ１１０ａに記憶された真券判定プログラムの更新モードが、手動であるか自動であるかの情報に基づいて、例えば、手動である場合、新たな更新プログラムが供給されると警報発生部１１１を制御して、遊技店１の係員の所持する携帯端末２３に更新プログラムが生成されたことを知らせる。さらに、これに応じて、係員により更新が指示されると、真券判定プログラム更新部１１０は、暗号処理部１１２を制御して、更新プログラムを暗号化して制御装置１６を介して、台間機１３、プリペイド販売機１４、および両替機１５に供給する。
【００８９】
一方、モードメモリ１１０ａに設定された情報が自動更新であった場合、真券判定プログラム更新部１１０は、警報発生部１１１を制御して係員の所持する携帯端末２３に対して警報を発生させることなく、暗号処理部１１２を制御して、更新プログラムを暗号化して制御装置１６を介して、台間機１３、プリペイド販売機１４、および両替機１５に供給する。
【００９０】
また、真券判定プログラム１１０は、データセンタサーバ２より更新プログラムが供給されてくると、更新プログラム生成部１０９により更新プログラムが生成された場合と同様に、更新モードに基づいて、暗号処理部１１２を制御して、更新プログラムを暗号化して制御装置１６を介して、台間機１３、プリペイド販売機１４、および両替機１５に供給する。
【００９１】
真券判定プログラム更新確認部１１３は、更新プログラムが台間機１３、プリペイド販売機１４、および両替機１５のそれぞれで新たな真券判定プログラムとして更新されたときに送信されてくる暗号化された更新確認情報を、暗号処理部１１４を制御して復号して取得すると共に、この更新確認情報の取得に応じて、更新プログラムとこのときの疑惑データをデータセンタサーバ２に供給する。
【００９２】
次に、図７を参照して、台間機１３および制御装置１６の機能を示す一実施の形態の構成について説明する。
【００９３】
紙幣投入返却部１３１は、遊技者が紙幣を投入する部位であり、真券判定部１３５により投入された紙幣が真券であると判定された場合、または、真券であるとも真券ではないとも判定できない場合、紙幣蓄積部１３２に供給して、投入された紙幣を蓄積すると共に、真券ではないと判定された場合、投入された紙幣を返却する。
【００９４】
紙幣情報読出部１３３は、投入された紙幣に印刷された塗料や透かしなどを赤外線センサや磁気センサなどにより読み出し、読み出した情報を特徴情報抽出部１３４に供給する。特徴情報抽出部１３４は、赤外線センサや磁気センサなどからなる紙幣情報読出部１３３より供給された紙幣に記録された情報より、特徴情報を抽出して、真券判定部１３５に供給する。
【００９５】
真券判定部１３５は、真券判定プログラムメモリ１３６に記憶されている真券判定プログラムを読み出して、各種の紙幣の特徴情報に基づいて、真券判定処理を実行し、真券であると判定した場合、または、真券であるともないとも判定ができない場合、紙幣投入返却部１３１に紙幣を紙幣蓄積部１３２に蓄積させる共に、動作部１３８を制御して、貸玉を供給させたり、貸メダルを供給させたりする。さらに、真券であるともないとも判定できない場合、すなわち、投入された紙幣が疑惑紙幣であった場合、真券判定部１３５は、特徴情報を制御部１３７に供給する。
【００９６】
また、真券判定部１３５は、投入された紙幣が真券ではないと判定した場合、紙幣投入返却部１３１に対して紙幣を返却させると共に動作部１３８の動作を実行させない。
【００９７】
制御部１３７は、真券判定部１３５より疑惑紙幣の特徴情報が供給されると自らの設置位置を示す情報（台データ）と共に、制御装置１６に供給する。
【００９８】
制御装置１６の制御部１５１は、台間機１３より供給された疑惑データおよび設置位置を示す情報を暗号処理部１５２を制御して暗号化し、ホール管理サーバ１１に供給する。また、制御部１５１は、ホール管理サーバ１１より暗号化された更新プログラムが供給されてくると、暗号処理部１５２を制御して、更新プログラムを復号し、台間機１３に供給する。制御部１３７は、制御装置１６より供給された更新プログラムを真券判定プログラムメモリ１３６の記録されている新たな真券判定プログラムとして更新する。
【００９９】
尚、プリペイド販売機１４および両替機１５については、台間機１３における動作部１３８の動作が、プリペイドカードを発行するか、または、投入された紙幣の金額に応じた両替処理を実行する点を除けば、台間機１３と同様の構成であるので、その説明は省略するものとする。また、以降においては、台間機１３の動作についても、上述した動作部１３８の動作以外には異なる点がないため、その説明は、台間機１３の説明にて代えるものとする。
【０１００】
次に、図８を参照して、動線管理サーバ１８の機能を示す一実施の形態の構成について説明する。
【０１０１】
位置情報抽出部１７１は、入口ステレオ画像センサ１９または島ステレオ画像センサ２０より供給されてくる遊技者の人IDと対応する遊技店内での位置情報を取得し、それらの時刻情報を合わせて位置管理テーブル１７２に記憶させる。
【０１０２】
設置位置情報取得部１７３は、ホール管理サーバ１１より供給されてくる、疑惑紙幣が検出された台間機１３、プリペイド販売機１４、または、両替機１５の設置位置の情報を取得し、人物特定部１７４に供給する。人物特定部１７４は、設置位置情報取得部１７３より供給された疑惑紙幣が検出された台間機１３、プリペイド販売機１４、または、両替機１５の設置位置の情報に基づいて、位置管理テーブル１７２を参照して、疑惑紙幣を使用した人物を特定し、特定した人物のの人IDに対応する今現在の位置情報をホール管理サーバ１１に供給する。
【０１０３】
より詳細には、人物特定部１７４は、供給された疑惑紙幣が検出された台間機１３、プリペイド販売機１４、または、両替機１５の設置位置の情報と、その疑惑紙幣が検出された時刻情報に基づいて、位置管理テーブル１７２に記録されている各人物の位置情報と時刻情報を照合し、一致する人物の人IDを決定する。さらに、人物特定部１７４は、決定した人IDの今現在の位置情報を読み出し、ホール管理サーバ１１に供給する。
【０１０４】
次に、図９を参照して、監視管理サーバ２１の機能を示す一実施の形態の構成について説明する。
【０１０５】
指令受信部１９１は、ホール管理サーバ１１より供給されてくる監視撮像指令を受信すると、その監視撮像指令に付されている位置情報を抽出して、角度ズーム調整部１９２に供給する。角度ズーム調整部１９２は、位置情報を位置角度計算部１９３に供給し、カメラ２２の撮像能力に対応して、供給された位置情報が示す領域（に存在するであろう疑惑紙幣を使用した遊技者）を撮像するのに最適な撮像角度およびズーム倍率を計算させる。さらに角度ズーム調整部１９２は、位置角度計算部１９３により計算された撮像角度およびズーム倍率に基づいて、カメラ２２を制御して、疑惑紙幣を使用した人物を撮像させる。
【０１０６】
カメラ２２は、撮像した疑惑紙幣を使用した人物の画像データを画像取得部１９４に供給する。画像取得部１９４は、取得した疑惑紙幣を使用した人物の画像データをホール管理サーバ１１に供給する。
【０１０７】
次に、図１０を参照して、データセンタサーバ２の機能を示す一実施の形態の構成について説明する。
【０１０８】
仮疑惑データ取得部２１１は、ホール管理サーバ１１より供給されてくる仮疑惑データを取得し、照合判定部２１２に供給する。照合判定部２１２は、仮疑惑データ取得部２１１より供給されてくる仮疑惑データを、疑惑データDB２１３にこれまでに登録されている疑惑データと照合し、登録済みの疑惑データと一致するものがあるか否かを判定する。例えば、一致するものがない場合、照合判定部２１２は、その判定結果を真券判定プログラム供給部２１４に供給する。このとき、真券判定プログラム供給部２１４は、一致するものがないことをホール管理サーバ１１に通知する。また、一致する疑惑データがあった場合、照合判定部２１２は、一致する疑惑データがあることを真券判定プログラム供給部２１４に通知する。このとき、どの疑惑データが一致したかの情報も、真券判定プログラム供給部２１４に供給される。
【０１０９】
真券判定プログラム供給部２１４は、供給された疑惑データに対応する真券判定プログラムを、真券判定プログラム格納部２１５より読み出してホール管理サーバ１１に供給する。データ管理部２１６は、ホール管理サーバ１１より真券判定プログラムが更新されたことを通知してくるとき、合わせて送信されてくる真券判定プログラムと、対応する疑惑データとを取得すると、それぞれを真券判定プログラム格納部２１５および疑惑データDB２１３に格納させる。
【０１１０】
次に、図１１のフローチャートを参照して、動線管理サーバ１８、入口ステレオ画像センサ１９、および島ステレオ画像センサ２０による位置管理テーブル管理処理について説明する。
【０１１１】
ステップＳ１において、動線管理サーバ１８の位置情報抽出部１７１は、所定の時間が経過したか否かを判定し、所定の時間が経過するまで、同様の処理を繰り返し、例えば、所定の時間が経過したと判定された場合、その処理は、ステップＳ２に進む。
【０１１２】
ステップＳ２において、位置情報抽出部１７１は、入口ステレオ画像センサ１または島ステレオ画像センサ２より供給されてくる人IDが付された位置情報（例えば、３次元の位置座標）を取得する。
【０１１３】
ステップＳ３において、位置情報抽出部１７１は、取得した位置情報を、人IDに対応付けて取得した時刻情報と共に位置管理テーブル１７２に記憶させ（既に、登録された人IDの位置情報および時刻情報は、新たに追加される）、その処理は、ステップＳ１に戻り、それ以降の処理が繰り返される。
【０１１４】
以上の処理により、動線管理サーバ１８は、常に、遊技店１内に入店している遊技者一人一人の位置情報と対応する時刻情報とを人ID毎に管理することが可能となる。
【０１１５】
次に、図１２のフローチャートを参照して、台間機１３と制御装置１６による不正紙幣判定処理について説明する。
【０１１６】
ステップＳ２１において、紙幣投入返却部１３１は、紙幣が投入されてきたか否かを判定し、紙幣が投入されてきたと判定されるまで同様の処理を繰り返す。例えば、遊技者が台間機１３を利用するため、紙幣を投入すると、紙幣投入返却部１３１は、紙幣が投入されたと判定し、その処理は、ステップＳ２２に進む。
【０１１７】
ステップＳ２２において、紙幣投入返却部１３１は、投入された紙幣を紙幣情報読出部１３３に供給する。紙幣情報読出部１３３は、紙幣の印刷に用いられている、例えば、赤外線などに反応して表示されるインクのパターンや磁気に反応するインクにより記録されているパターンを読み出し、特徴情報抽出部１３４に供給する。
【０１１８】
ステップＳ２３において、特徴情報抽出部１３４は、紙幣情報読出部１３３より供給された赤外線パターンや磁気パターンからなる特徴情報を抽出し、真券判定部１３５に供給する。
【０１１９】
ステップＳ２４において、真券判定部１３５は、供給された特徴情報に基づいて、投入された紙幣が真券であるか否かを判定する。より詳細には、真券判定部１３５は、真券判定プログラムメモリ１３６に記憶されている真券判定プログラムを読み出し、特徴情報に関する基準データと比較し、基準データとの類似性から、投入された紙幣が真券であるか否かを判定する。
【０１２０】
基準データとは、例えば、図１３で示されるようなものである。尚、本実施例においては、赤外線パターンから読み出される特徴情報を赤外線特徴情報Ａ乃至Ｃとし、磁気パターンから読み出される特徴情報を磁気特徴情報Ａ，Ｂとし、合計５個の特徴情報を扱う例について説明するが、当然のことながら、これらの特徴情報以外の特徴情報を用いるようにしても良い。
【０１２１】
図１３においては、上から赤外線パターンにより抽出される特徴情報を赤外線特徴情報Ａ乃至Ｃの特徴情報が示され、その下に磁気パターンにより抽出される磁気特徴情報Ａ，Ｂの特徴情報が示されている。図１３においては、各特長情報のレベルが０乃至３０の範囲で設定されている例が示されている。このうち、各特長情報が、明らかに真券であると判定されるレベルは、黒色で示された範囲であり、明らかに真券ではないと判定されるレベルは白色で示された範囲である。さらに、真券であるとも、真券でないとも判定のつかないレベルは、灰色で示された範囲である。
【０１２２】
従って、図１３においては、赤外線特徴情報Ａは、レベル２０近傍の黒色の範囲が明らかに真券と判定されるレベルであることが示されている。同様にして、赤外線特徴情報Ｂは、レベル２０近傍の赤外線特徴情報Ａよりも広い黒色の範囲、赤外線特徴情報Ｃは、レベル５近傍の黒色の範囲、磁気特徴情報Ａは、レベル３０近傍の黒色の範囲、そして、磁気特徴情報Ｂは、レベル９近傍の黒色の範囲がそれぞれ明らかに真券であると判定されるレベルであることが示されている。また、それぞれの真券と判定されるレベルの前後の灰色の範囲が、それぞれの特徴情報における真券であるとも、真券ではないとも判定のつかない範囲であり、さらに、それ以外の白色の範囲が、明らかに真券ではないと判定される範囲である。
【０１２３】
すなわち、ステップＳ２４において、真券判定部１３５は、赤外線特徴情報Ａ乃至Ｃおよび磁気特徴情報Ａ，Ｂのそれぞれが全て、図１３で示される黒色の範囲内のレベルであるか否かを判定することにより、投入された紙幣が真券であるか否かを判定する。例えば、ステップＳ２４において、投入された紙幣が明らかに真券であると判定された場合、ステップＳ２５において、真券判定部１３５は、真券であることを動作部１３８に通知する。この結果、動作部１３８は、投入された金額に相当する分だけ、貸玉や貸メダルを図示せぬ払出口より払い出させる。同時に、真券判定部１３５は、紙幣投入返却口１３１を制御して、投入された紙幣を紙幣蓄積部１３２に蓄積させる。
【０１２４】
このように、真券であると判定されることにより、台間機１３は、通常の貸玉または貸メダルの払出処理を実行する。
【０１２５】
一方、ステップＳ２４において、真券ではないと判定された場合、ステップＳ２６において、真券判定部１３５は、投入された紙幣が明らかに真券ではないか否かを判定する。すなわち、真券判定部１３５は、赤外線特徴情報Ａ乃至Ｃ、および磁気特徴情報Ａ，Ｂのいずれかが、図１３で示される白色の領域で示されるレベルであって、その他の特徴情報が白色の領域であるか、または、黒色の領域である場合、投入された紙幣は明らかに真券ではないと判定し、その処理は、ステップＳ３２に進む。
【０１２６】
ステップＳ３２において、真券判定部１３５は、紙幣投入返却部１３１を制御して、投入された紙幣を返却させ、その処理は、ステップＳ２１に戻る。
【０１２７】
すなわち、明らかに真券ではないと判定される場合、単に、投入された紙幣が返却されるのみとなる。
【０１２８】
一方、ステップＳ２６において、紙幣が明らかに真券ではないことはないと判定された場合（真券ではないと判定されない場合）、すなわち、赤外線特徴情報Ａ乃至Ｃ、および磁気特徴情報Ａ，Ｂの全てが黒色の領域内ではなく、かつ、全てが、黒色および灰色の領域内であって、投入された紙幣が真券であるとも、真券ではないとも判定できない状態である場合、ステップＳ２７において、真券判定部１３５は、ステップＳ２５の処理と同様に、投入された紙幣が真券であるともないとも判定できないものの、真券として扱うことを動作部１３８に通知する。この結果、動作部１３８は、投入された金額に相当する分だけ、貸玉や貸メダルを図示せぬ払出口より払い出させる。同時に、真券判定部１３５は、紙幣投入返却口１３１を制御して、投入された紙幣を紙幣蓄積部１３２に蓄積させる。
【０１２９】
ステップＳ２８において、真券判定部１３５は、投入された紙幣が真券であるとも、真券ではないとも判定がつかないことを制御部１３７に通知する（疑惑紙幣が検出されたことを通知する）と共に、そのときの判定に用いた特徴情報（疑惑紙幣の特徴情報）を制御部１３７に供給する。制御部１３７は、この通知に基づいて、疑惑判定フラグを制御装置１６に送信する。
【０１３０】
ステップＳ４１において、制御装置１６の制御部１５１は、疑惑判定フラグが台間機１３より送信されてきたか否かを判定し、疑惑判定フラグが送信されてくるまで、その処理を繰り返す。ステップＳ４１において、例えば、ステップＳ２７の処理により、疑惑判定フラグが送信されてきた場合、ステップＳ４２において、制御部１５１は、台間機１３に対して、疑惑判定フラグが立った紙幣（疑惑紙幣）の特徴情報を要求する。
【０１３１】
ステップＳ２９において、台間機１３の制御部１３７は、特徴情報が要求されたか否かを判定し、要求されていない場合、ステップＳ３０において、所定時間が経過したか否かを判定する。ステップＳ３０において、所定時間が経過していないと判定された場合、その処理は、ステップＳ２８に戻る。すなわち、疑惑判定フラグが送信された後、所定の時間内で、制御装置１６より特徴情報が要求されてくるまで、ステップＳ２８乃至Ｓ３０の処理が繰り返される。ステップＳ３０において、所定の時間が経過したと判定された場合、その処理は、ステップＳ２１に戻る。すなわち、この場合、疑惑判定フラグは、制御装置１６には送信できないまま、疑惑紙幣を真券として扱い、再び元の処理に戻ることになる。
【０１３２】
一方、ステップＳ２９において、例えば、ステップＳ４２の処理により、特徴情報が要求された場合、ステップＳ３１において、制御部１３７は、真券判定部１３５より供給された疑惑紙幣の特徴情報と共に、台間機１３の属する遊技台１２の台データおよび時刻情報を制御装置１６に供給し、その処理は、ステップＳ２１に戻る。
【０１３３】
ステップＳ４３において、制御部１５１は、疑惑紙幣の特徴情報と共に、台間機１３の属する遊技台１２の台データおよび時刻情報が送信されてきたか否かを判定し、送信されてくるまで同様の処理を繰り返す。ステップＳ４３において、例えば、ステップＳ３１の処理により、特徴情報と共に、台間機１３の属する遊技台１２の台データおよび時刻情報が送信されてきた場合、ステップＳ４４において、制御部１５１は、特徴情報と共に、台間機１３の属する遊技台１２の台データおよび時刻情報を受信する。
【０１３４】
ステップＳ４４において、制御部１５１は、暗号処理部１５２を制御して、受信した特徴情報と共に、台間機１３の属する遊技台１２の台データおよび時刻情報を暗号化させる。
【０１３５】
ステップＳ４５において、制御部１５１は、暗号化した特徴情報、台間機１３の属する遊技台１２の台データおよび時刻情報をホール管理サーバ１１に送信する。
【０１３６】
以上の不正紙幣判定処理により、真券であるとも真券ではないとも判定がつかない紙幣が検出されると、真券であるものとして処理はするが、真券に似せて偽造された疑いの高い疑惑紙幣が検出されたものとみなし、疑惑紙幣の特徴情報、疑惑紙幣が検出された台間機１３の属する遊技台１２の台データおよび疑惑紙幣が検出された時刻情報が暗号化された状態でホール管理サーバ１１に送信されることになる。
【０１３７】
次に、図１４のフローチャートを参照して、ホール管理サーバ１１、動線管理サーバ１８および監視管理サーバ２１による仮疑惑データ生成処理について説明する。
【０１３８】
ステップＳ６１において、特徴情報取得部１０１は、制御装置１６より送信されてきたか否かを判定し、送信されてきたと判定されるまで、同様の処理を繰り返す。例えば、図１２のフローチャートのステップＳ４６の処理により、暗号化されている特徴情報、台間機１３の属する遊技台１２の台データおよび時刻情報が送信されてくると、その処理は、ステップＳ６２に進む。
【０１３９】
ステップＳ６２において、特徴情報取得部１０１は、送信されてきた暗号化されている特徴情報、台間機１３の属する遊技台１２の台データおよび時刻情報を取得し、ステップＳ６３において、暗号処理部１０２を制御して復号する。
【０１４０】
ステップＳ６４において、特徴情報取得部１０１は、動線管理サーバ１８に対して、復号された特徴情報に付されている台間機１３の属する遊技台１２の台データおよび時刻情報を供給すると共に、疑惑紙幣を使用した位置情報を要求する。また、特徴情報取得部１０１は、特徴情報を仮疑惑データ生成部１０６に供給する。
【０１４１】
ステップＳ８１において、動線管理サーバ１８の配置情報取得部１７３は、疑惑紙幣を使用した遊技者の位置情報が要求されてきたか否かを判定し、要求されてくるまでその処理を繰り返す。ステップＳ８１において、例えば、ステップＳ６４の処理により、疑惑紙幣を使用した遊技者の位置情報が要求された場合、その処理は、ステップＳ８２に進む。
【０１４２】
ステップＳ８２において、配置情報取得部１７３は、疑惑紙幣を使用した遊技者の位置情報が要求されると共に送信されてきた台データと時刻情報とを人物特定部１７４に供給する。人物特定部１７４は、位置管理テーブル１７２を参照して、台データに含まれる遊技台１２の配置されている位置（疑惑紙幣を検出した台間機１３の配置されている位置）に、位置情報の要求と共に送信されてきた時刻情報に存在していた人IDを検索する。すなわち、人物特定部１７４は、位置管理テーブル１７２を参照して、疑惑紙幣が使用された台間機１３の付近の位置に、疑惑紙幣が使用された時刻に存在していた遊技者が、疑惑紙幣を使用した遊技者であるものとみなし、その遊技者の人IDを検索することで疑惑紙幣を使用した遊技者を特定する。
【０１４３】
ステップＳ８３において、人物特定部１７４は、位置管理テーブル１７２を参照して、特定した（検索した）人IDに対応する遊技者の今現在の位置情報を読み出して、ホール管理サーバ１１に送信する。
【０１４４】
ステップＳ６５において、位置情報取得部１０３は、動線管理サーバ１８より供給された疑惑紙幣を使用した遊技者の位置情報を取得し、監視撮像司令部１０４に供給する。
【０１４５】
ステップＳ６６において、監視撮像司令部１０４は、取得した疑惑紙幣を使用した遊技者の位置情報と共に、監視管理サーバ２１に対して疑惑紙幣を使用した遊技者の撮像を指令する。
【０１４６】
ステップＳ１０１において、監視管理サーバ２１の指令受信部１９１は、ホール管理サーバ１１より疑惑紙幣を使用した遊技者の撮像が指令されたか否かを判定し、撮像が指令されるまで、その処理を繰り返す。ステップＳ１０１において、例えば、ステップＳ６６の処理により、位置情報と共に疑惑紙幣を使用した遊技者の撮像が指令された場合、その処理は、ステップＳ１０２に進む。
【０１４７】
ステップＳ１０２において、指令受信部１９１は、送信されてきた位置情報を角度ズーム調整部１９２に供給する。角度ズーム調整部１９２は、位置角度計算部１９３を制御して、指令受信部１９１より供給された位置情報に基づいて、供給された位置情報に対応する（疑惑紙幣を使用した遊技者が存在するであろう）領域を撮像するのに最適なカメラ２２の撮像角度およびズーム倍率を計算させる。
【０１４８】
ステップＳ１０３において、角度ズーム調整部１９２は、カメラ２２を位置角度計算部１９３により計算された角度に調整すると共に、ズーム倍率を設定させ、疑惑紙幣を使用した遊技者を撮像させる。カメラ２２は、撮像した画像を画像取得部１９４に供給する。
【０１４９】
ステップＳ１０４において、画像取得部１９４は、カメラ２２により撮像された画像を画像データとしてホール管理サーバ１１に送信する。
【０１５０】
ステップＳ６７において、画像データ取得部１０６は、監視管理サーバ２１より送信されてきた画像データを取得し、仮疑惑データ生成部１０６に供給する。
【０１５１】
ステップＳ６８において、仮疑惑データ生成部１０６は、特徴情報取得部１０１より供給された疑惑紙幣の特徴情報と、画像データ取得部１０５より供給された疑惑紙幣を使用した遊技者の画像データとに基づいて、仮疑惑データを生成する。
【０１５２】
以上の仮疑惑データ生成処理により、図１２を参照して説明した不正紙幣判定処理により疑惑紙幣が検出された場合、疑惑紙幣の特徴情報と、疑惑紙幣を使用した遊技者が撮像された画像データとに基づいて、仮疑惑データが生成されることになる。結果として、疑惑紙幣の使用が発覚しても、疑惑紙幣を使用した遊技者を特定することが可能となるので、疑惑紙幣がいわゆる不正紙幣であった場合にも、その出所を迅速に捜索することが可能となる。また、疑惑紙幣が使用されると、疑惑紙幣を使用した遊技者が撮像されることにより、不正紙幣の不正な使用の抑止力とすることが可能となる。
【０１５３】
次に、図１５のフローチャートを参照して、上述の処理により生成された仮疑惑データに基づいて、不正紙幣判定処理に用いられる真券判定プログラムを更新するか否かを判定する更新判定処理について説明する。
【０１５４】
ステップＳ１２１において、仮疑惑データ生成部１０６は、仮疑惑データが生成されたか否かを判定し、仮疑惑データが生成されるまで（自らで仮疑惑データを生成するまで）その処理を繰り返す。例えば、図１４のフローチャートを参照して説明した仮疑惑データ生成処理により仮疑惑データが生成された（仮疑惑データ生成部１０６が自らで生成した）場合、その処理は、ステップＳ１２２に進む。
【０１５５】
ステップＳ１２２において、仮疑惑データ生成部１０６は、生成した仮疑惑データを真券判定プログラム更新判定部１０７およびデータセンタサーバ２に送信する。仮疑惑データ生成部１０６は、データセンタサーバ２に仮疑惑データを送信する際、他の遊技店で同様の疑惑データが検出されているか否かを問い合わせる。
【０１５６】
ステップＳ１５１において、データセンタサーバ２の仮疑惑データ取得部２１１は、仮疑惑データ送信されてきたか否かを判定し、送信されてくるまで、その処理を繰り返す。例えば、ステップＳ１２２の処理により、仮疑惑データが送信されてきた場合、ステップＳ１５２において、仮疑惑データ取得部２１１は、送信されてきた仮疑惑データを取得し、照合判定部２１２に供給する。照合判定部２１２は、供給された仮疑惑データに含まれている疑惑紙幣の特徴情報を疑惑データDB２１３に登録されている疑惑紙幣の特徴情報と照合する。
【０１５７】
ステップＳ１５３において、照合判定部２１２は、送信されてきた仮疑惑データに含まれる特徴情報が、疑惑データDB２１３に登録済みの疑惑紙幣の特徴情報として登録されているか否か、すなわち、既に、登録済みの特徴情報であるか否かを判定する。
【０１５８】
ステップＳ１５３において、例えば、送信されてきた仮疑惑データが未登録である場合、ステップＳ１５４において、照合判定部２１２は、真券判定プログラム供給部２１４に対して、送信されてきた仮疑惑データが未登録である旨を通知する。真券判定プログラム供給部２１４は、ホール管理サーバ１１に対して、問い合わせ結果として送信されてきた仮疑惑データが登録されていないことを通知する。
【０１５９】
ステップＳ１２３において、真券判定プログラム更新判定部１０７は、データセンタサーバ２から送信されてくる問い合わせ結果を取得する。
【０１６０】
ステップＳ１２４において、真券判定プログラム更新判定部１０７は、問い合わせ結果が、仮疑惑データが登録済みであったか否かを判定する。ステップＳ１５４の処理により、未登録であったことを示す問い合わせ結果が送信されてきていた場合、ステップＳ１２５において、真券判定プログラム更新判定部１０７は、自らの疑惑データメモリ１０８に同一の仮疑惑データに含まれる疑惑紙幣の特徴情報が登録されているか否かを判定する。
【０１６１】
ステップＳ１２５において、未登録であると判定された場合、ステップＳ１２６において、真券判定プログラム更新判定部１０７は、仮疑惑データ生成部１０６より供給された仮疑惑データを疑惑データとして疑惑データメモリ１０８に登録し、その処理は、ステップＳ１２１に戻る。
【０１６２】
一方、ステップＳ１２５において、同一の疑惑データが登録されていると判定された場合、ステップＳ１２７において、真券判定プログラム更新判定部１０７は、その同一の疑惑データの登録状況を確認し、所定の期間内で所定の回数以上検出されているか否かを問い合わせる。例えば、１時間で５回以上、同一の疑惑データ（特徴情報）を備えた疑惑紙幣が検出されたか、１日で５回以上、同一の疑惑データ（特徴情報）を備えた疑惑紙幣が検出されたか、または、１週間で５回以上、同一の疑惑データ（特徴情報）を備えた疑惑紙幣が検出されたかなどの所定の期間内で所定の回数以上検出されているか否かが判定される。
【０１６３】
ステップＳ１２７において、同一の疑惑データが所定の期間内で所定の回数以上検出されていないと判定された場合、ステップＳ１２８において、真券判定プログラム更新判定部１０７は、その仮疑惑データに対応する疑惑データのカウントを１インクリメントして、疑惑データメモリ１０８に記憶させ、その処理は、ステップＳ１２１に戻る。
【０１６４】
ステップＳ１２７において、同一の疑惑データが所定の期間内で所定の回数以上検出されていると判定された場合、ステップＳ１２９において、真券判定プログラム更新判定部１０７は、疑惑紙幣として検出された紙幣の仮疑惑データを、真の疑惑データ、すなわち、真券に似せて製造された偽造紙幣の特徴情報からなる疑惑データであるものとみなし、その疑惑データに含まれる紙幣の特徴情報を、更新プログラム生成部１０９に供給し、その特徴情報に対応した真券判定プログラムの更新プログラムを生成させる。更新プログラム生成部１０９は、生成した更新プログラムを真券判定プログラム更新部１１０および真券判定プログラム更新確認部１１３に供給する。尚、真券判定プログラムにおける更新プログラムは、例えば、上述した図１３で示される基準データが変更された状態に対応できる真券判定プログラムのことを示している。すなわち、真券判定プログラムが更新されるということは、各特徴情報における真券であると判定される範囲（図中の黒色の範囲）、真券ではないと判定される範囲（図中の白色の範囲）、および真券であるとも、真券ではないとも判定することができない範囲（図中の灰色の範囲）からなる基準データが変更されているとも言える。
【０１６５】
ステップＳ１３０において、真券判定プログラム更新部１１０は、モードメモリ１１０ａに記憶されている更新モードを読み出し、自動モードであるか否かを判定する。例えば、更新モードが自動モードではない場合、ステップＳ１３１において、真券判定プログラム更新部１１０は、警報発生部１１１を制御して、真券判定プログラムの更新プログラムが生成されていることを、遊技店１の係員の所持する携帯端末２３に通報する。
【０１６６】
ステップＳ１３２において、真券判定プログラム更新部１１０は、ステップＳ１３１の処理により通報した更新プログラムの更新が指示されたか否かを判定し、指示されていないと判定された場合、その処理は、ステップＳ１２１に戻る。すなわち、係員により更新プログラムの更新が指示されなかった場合、真券判定プログラム更新部１１０は、生成された更新プログラムを破棄して、元の処理に戻る。
【０１６７】
ステップＳ１３２において、更新が指示されたと判定された場合、ステップＳ１３３において、真券判定プログラム更新部１１０は、暗号処理部１１２を制御して、更新プログラム生成部１０９より供給された真券判定プログラムの更新プログラムを暗号化する。
【０１６８】
ステップＳ１３４において、真券判定プログラム更新部１１０は、暗号化した真券判定プログラムの更新プログラムを制御装置１６に送信し、その処理は、ステップＳ１２１に戻る。
【０１６９】
一方、ステップＳ１３０において、自動モードであると判定された場合、ステップＳ１３１，Ｓ１３２の処理がスキップされる。すなわち、遊技店１の係員の所持する携帯端末２３への通報をすることなく、生成された更新プログラムが暗号化されて制御装置１６に送信される。
【０１７０】
さらに、ステップＳ１５３において、疑惑データとして登録済みであると判定された場合、照合判定部２１２は、真券判定プログラム供給部２１４に対して、送信されてきた仮疑惑データが登録済みである旨を通知する。真券判定プログラム供給部２１４は、ホール管理サーバ１１に対して、問い合わせ結果として送信されてきた仮疑惑データが登録されていることを通知すると共に、その疑惑データに対応する真券判定プログラムの更新プログラムを真券判定プログラム格納部２１５より読み出してホール管理サーバ１１に供給する。
【０１７１】
結果として、ステップＳ１２３においては、問い合わせ結果として疑惑データが登録済みであることが取得されると共に、真券判定プログラムの更新プログラムが取得される。
【０１７２】
これに応じて、ステップＳ１２４において、疑惑データが登録済みであると判定されるため、ステップＳ１２５乃至Ｓ１２９の処理がスキップされ、データセンタサーバ２より送信されてきた真券判定プログラムの更新プログラムが、自動モードであれば暗号化されて制御装置１６に送信され、自動モードではない、すなわち、手動モードであれば、係員による更新の指示に応じて、暗号化されて制御装置１６に送信される。
【０１７３】
以上の処理により、同一の仮疑惑データとなる疑惑紙幣が、他の遊技店１で検出されて、対応する真券判定プログラムの更新プログラムがデータセンタサーバ２で保持されている場合、データセンタサーバ２により真券判定プログラムの更新が必要であるとみなされたとき、更新プログラムが供給される。また、仮に他の遊技店１で検出されていない疑惑紙幣であっても、自らの遊技店内で所定の期間内に所定の回数以上検出された場合、ホール管理サーバ１１自身が更新が必要であることを判断し、更新プログラムを生成することが可能となる。
【０１７４】
結果として、不正紙幣が同一店内、または、他の遊技店１において使用されるようなことがあったとしても、これらの不正紙幣を疑惑紙幣として検出することが可能となり、所定の期間内で所定の回数以上検出されると、真券判定プログラムが更新されることになるため、不正紙幣が繰り返し使用されることを防止することが可能となる。
【０１７５】
尚、以上の例においては、ステップＳ１２７の処理において、所定の期間内に所定の回数以上検出された場合に疑惑データに対応して真券判定プログラムを更新させるようにする例について説明してきたが、それ以外の条件を設定するようにしてもよく、例えば、同一の遊技店内で所定の回数以上検出された場合に真券判定プログラムを更新させるようにしても良いし、１つの島設備内で所定回数以上検出された場合に真券判定プログラムを更新させるようにしても良い。
【０１７６】
次に、図１６，図１７のフローチャートを参照して、真券判定プログラム更新処理について説明する。尚、図１７のフローチャートにおけるステップＳ２５２乃至Ｓ２５６の処理は、図１６のフローチャートにおけるステップＳ１３０乃至Ｓ１３４と同様の処理であるので、その説明は適宜省略する。
【０１７７】
ステップＳ１７１において、制御装置１６の制御部１５１は、暗号化された真券判定プログラムの更新プログラムが送信されてきたか否かを判定し、送信されてくるまでその処理を繰り返す。例えば、図１５のフローチャートを参照して説明したステップＳ１３４の処理により、暗号化された真券判定プログラムの更新プログラムが送信されてきたと判定された場合、その処理は、ステップＳ１７２に進む。
【０１７８】
ステップＳ１７２において、制御部１５１は、送信されてきた暗号化されている真券判定プログラムの更新プログラムを受信すると共に、暗号処理部１５２を制御して、復号させ、台間機１３に送信する。
【０１７９】
ステップＳ１９１において、台間機１３の制御部１３７は、真券判定プログラムの更新プログラムが送信されてきたか否かを判定し、送信されてくるまでその処理を繰り返す。例えば、ステップＳ１７３の処理により、真券判定プログラムの更新プログラムが送信されてきたと判定された場合、その処理は、ステップＳ１９２に進む。
【０１８０】
ステップＳ１９２において、制御部１３７は、送信されてきた更新プログラムを、真券判定プログラムメモリ１３６に記憶されている真券判定プログラムに対して上書きし、真券判定プログラムを更新プログラムに更新させる。
【０１８１】
ステップＳ１９３において、制御部１３７は、真券判定プログラムの更新完了を示す報告情報を制御装置１６に送信する。
【０１８２】
ステップＳ１７４において、制御装置１６の制御部１５１は、台間機１３より送信されてきた更新完了を示す報告情報を受信する。
【０１８３】
ステップＳ１７５において、制御部１５１は、暗号処理部１５２を制御して、更新完了の報告情報を暗号化し、ステップＳ１７６において、暗号化した報告情報をホール管理サーバ１１に送信する。
【０１８４】
ステップＳ２１１において、ホール管理サーバ１１の真券判定プログラム更新確認部１１３は、制御装置１６より暗号化された更新完了の報告情報が送信されてきたか否かを判定し、送信されてくるまで、その処理を繰り返す。
【０１８５】
ステップＳ２１１において、例えば、ステップＳ１７６の処理により、暗号化された更新完了を示す報告情報が送信されてきた場合、ステップＳ２１２において、真券判定プログラム更新確認部１１３は、暗号処理部１１４を制御して、暗号化されている報告情報を復号する。
【０１８６】
ステップＳ２１３において、真券判定プログラム更新確認部１１３は、真券判定プログラムを更新するための条件となった、疑惑データを疑惑データメモリ１０８より読み出し、更新プログラム生成部１０９より供給された更新プログラムと共にデータセンタサーバ２に送信する。
【０１８７】
ステップＳ２３１において、データセンタサーバ２のデータ管理部２１６は、更新プログラムと、対応する疑惑データが送信されてきたか否かを判定し、送信されてくるまでその処理を繰り返す。例えば、ステップＳ２１３の処理により、真券判定プログラムの更新プログラムと、対応する疑惑データが送信されてきた場合、その処理は、ステップＳ２３２に進む。
【０１８８】
ステップＳ２３２において、データ管理部２１６は、真券判定プログラム格納部２１５および疑惑データDB２１３を参照して、送信されてきた更新プログラムと疑惑データとがそれぞれ登録済みであるか否かを判定する。
【０１８９】
ステップＳ２３２において、例えば、送信されてきた更新プログラムと疑惑データとがいずれも登録済みではない場合、ステップＳ２３３において、データ管理部２１６は、送信されてきた更新プログラムと疑惑データとをそれぞれ真券判定プログラム格納部２１５および疑惑データDB２１３に登録させる。
【０１９０】
ステップＳ２３４において、データ管理部２１６は、更新プログラムと疑惑データとを送信してきたホール管理サーバ１１とは異なる遊技店１のホール管理サーバ１１に対して更新プログラムを送信し、その処理は、ステップＳ２３１に戻る。
【０１９１】
また、ステップＳ２３２において、送信されてきた更新プログラムと疑惑データとが登録済みであった場合、ステップＳ２３３，Ｓ２３４の処理がスキップされて、その処理は、ステップＳ２３１に戻る。
【０１９２】
ステップＳ２５１（図１７）において、更新プログラムと疑惑データとを送信してきたホール管理サーバ１１とは異なる遊技店１のホール管理サーバ１１の真券判定プログラム更新部１１０は、更新プログラムが、データセンタサーバ２より送信されてくるか否かを判定し、送信されてくるまでその処理を繰り返し、例えば、ステップＳ２３４（図１６）の処理により、更新プログラムが送信されてきた場合、その処理は、ステップＳ２５２に進む。
【０１９３】
以上の処理により、データセンタサーバ２、またはホール管理サーバ１１のいずれかで真券判定プログラムの更新プログラムが生成されると、相互に真券判定プログラムが更新されるので、相互に不正紙幣が使用された場合、疑惑紙幣として対策が施された真券判定プログラムに更新させるようにすることができるので、不正紙幣の繰り返し使用を防止することが可能となる。さらに、データセンタサーバ２の真券判定プログラムが更新されることにより、データセンタサーバ２と接続されている遊技店１の各ホール管理サーバ１１における真券判定プログラムをも更新させることが可能となるので、複数の遊技店１で、不正紙幣の繰り返し使用を防止することが可能となる。
【０１９４】
以上によれば、遊技店における不正紙幣を用いる不正遊技者を的確に撮像し、記録すると共に、紙幣が真券であるか否かの判定に用いる真券判定プログラムを疑惑紙幣の発生に対応して動的に変化させるようにしたので、真券判定プログラムに基づいた不正紙幣利用の監視と、真券判定プログラムを迅速に更新させることが可能となる。
【０１９５】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１９６】
記録媒体は、図５に示されるように、ホール管理サーバ１１とは別に、ユーザにプログラムを提供するために配布される、プログラムが記録されている磁気ディスク６１（フレキシブルディスクを含む）、光ディスク６２（CD-ROM（Compact Disc-Read Only Memory），DVD（Digital Versatile Disc））、光磁気ディスク６３、若しくは半導体メモリ６４などよりなるパッケージメディアを含むリムーバブルメディアにより構成されるだけでなく、コンピュータに予め組み込まれた状態でユーザに提供される、プログラムが記憶されているROM４２や記憶部４８が含まれるハードディスクなどで構成される。
【０１９７】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１９８】
また、本明細書において、システムとは、複数の装置により構成される装置全体を表すものである。
【図面の簡単な説明】
【０１９９】
【図１】本発明を適用した遊技店の不正紙幣監視システムの一実施の形態の構成を示す図である。
【図２】図１の入口ステレオ画像センサの一実施の形態の構成を示す図である。
【図３】図１の島ステレオ画像センサの一実施の形態の構成を示す図である。
【図４】図１の入口ステレオ画像センサ、島ステレオ画像センサ、およびカメラの配置例を説明する図である。
【図５】図１のホール管理サーバのハードウェアの一実施の形態の構成を示す図である。
【図６】図１のホール管理サーバの機能を説明する一実施の形態の構成を示す図である。
【図７】図１の台間機および制御装置の機能を示す一実施の形態の構成を示す図である。
【図８】図１の動線管理サーバの機能を示す一実施の形態の構成を示す図である。
【図９】図１の監視管理サーバの機能を示す一実施の形態の構成を示す図である。
【図１０】図１のデータセンタサーバの機能を示す一実施の形態の構成を示す図である。
【図１１】位置管理テーブル管理処理を説明するフローチャートである。
【図１２】不正紙幣判定処理を説明するフローチャートである。
【図１３】不正紙幣判定処理に使用される基準データを説明する図である。
【図１４】仮疑惑データ生成処理を説明するフローチャートである。
【図１５】更新判定処理を説明するフローチャートである。
【図１６】真券判定プログラム更新処理を説明するフローチャートである。
【図１７】真券判定プログラム更新処理を説明するフローチャートである。
【符号の説明】
【０２００】
１，１−１乃至１−ｎ  遊技店
２  データセンタサーバ
１１  ホール管理サーバ
１２，１２−１乃至１２−ｋ  遊技台
１３，１３−１乃至１３−ｋ  台間機
１４  プリペイド販売機
１５  両替機
１６，１６−１，１６−２  制御装置
１８  動線管理サーバ
１９，１９−１乃至１９−ｍ  入口ステレオ画像センサ
２０，２０−１乃至２０−ｏ  島ステレオ画像センサ
２１  監視管理サーバ
２２，２２−１乃至２２−ｐ  カメラ
【図１】
2006280499.tif 000003
【図２】
2006280499.tif 000004
【図３】
2006280499.tif 000005
【図４】
2006280499.tif 000006
【図５】
2006280499.tif 000007
【図６】
2006280499.tif 000008
【図７】
2006280499.tif 000009
【図８】
2006280499.tif 000010
【図９】
2006280499.tif 000011
【図１０】
2006280499.tif 000012
【図１１】
2006280499.tif 000013
【図１２】
2006280499.tif 000014
【図１３】
2006280499.tif 000015
【図１４】
2006280499.tif 000016
【図１５】
2006280499.tif 000017
【図１６】
2006280499.tif 000018
【図１７】
2006280499.tif 000019